(57)【要約】      （修正有）【課題】取っ手を容器にきつく固定することができる取り外し可能な容器の取っ手を提供する。【解決手段】主に、固定部品１０１と、取っ手１０３からなり、前記固定部品の一端は、容器に連結されるとともに、固定部品の他端は、ボルトに成形され、取っ手１０３には、組立孔１０３１が設けられるとともに、組立孔の内部にはナット１０４が嵌設され、ナットと固定部品のボルトによってしっかりと固定される。そのうち、固定部品がナットに対応して動かされ固定される場合、ナットは、組立孔とともに位置決め作用を発揮することで、取っ手は、容器の固定部品にきつく固定されることができ、さらに、固定部品には、係合リング１０２が套設され、前記係合リングによって、取っ手を固定部品に素早く位置決めすることができるため、使用者が違う角度で取り付けてしまうことを防止できる。【選択図】図１
0003224423.tif 000002
【実用新案登録請求の範囲】
【請求項１】
容器に連結される取り外し可能な容器の取っ手であって、固定部品と、取っ手と、からなり、
前記固定部品の一端には、第１連結部が設けられ、他端には、ボルトが設けられ、前記第１連結部は、前記容器の外壁面に連結され、
前記取っ手には、組立孔が設けられ、前記組立孔の内壁には、少なくとも１つのレールが設けられ、ナットの内側には、ねじ部が設けられ、外側には、少なくとも１つのリブが設けられ、前記ナットは、各前記リブによって各前記レールに対応され、前記組立孔に連結されることで、前記ナットには、各前記レールの位置決め作用が発揮され、
前記組立孔が前記固定部品に対応すると、前記ナットは、前記ボルトと相互に螺合固定されることで、前記ナットと前記ボルトは、しっかり固定され、前記取っ手は、前記コップに取り付けられ且つ固定されることを特徴とする、取り外し可能な容器の取っ手。
【請求項２】
前記第１連結部は、弧形面に形成され、前記弧形面は、前記容器における壁面の弧度に対応することを特徴とする、請求項１に記載の取り外し可能な容器の取っ手。
【請求項３】
前記固定部品には、係合リングが套設され、前記取っ手は、前記係合リングによって前記固定部品に位置決めされ、前記係合リングの一端には、第２連結部が設けられ、他端には、嵌合部が設けられ、前記係合リングは、前記第２連結部により固定部品に套設されることを特徴とする、請求項１に記載の取り外し可能な容器の取っ手。
【請求項４】
前記係合リングの一端には、第２連結部が設けられ、他端には、嵌合部が設けられ、前記第２連結部は、固定部品に套設され、前記嵌合部は、前記取っ手の嵌合溝に嵌入されることを特徴とする、請求項３に記載の取り外し可能な容器の取っ手。
【請求項５】
前記第２連結部は、弧形面に形成され、前記弧形面は、前記容器の壁面の弧度に対応することを特徴とする、請求項３に記載の取り外し可能な容器の取っ手。
【考案の詳細な説明】
【技術分野】
【０００１】
本考案は取り外し可能な容器の取っ手に関し、特に、取っ手の組立孔とナットが相互に位置決めされて固定されることで、取っ手が容器に螺合固定される際に、取っ手を容器にきつく固定することができるように成形された取り外し可能な容器の取っ手に関する。
【背景技術】
【０００２】
市販のコップは、主に、コップの取っ手と、コップ本体からなり、そのうち、材質、及び製造プロセス上の制限により、コップの取っ手とコップ本体は、通常同じ材質であるとともに、一体成形で製造され、例えば、プラスチック製のコップは、プラスチックの溶融後、射出成形方式で製造され、さらに、ステンレス製のコップは、ステンレス材質のコップの取っ手及びコップ本体を相互に溶接して製造される。しかしながら、この２種類のコップには、いずれも、コップの取っ手を取り替えることができないという問題が存在し、使用者が、コップの取っ手またはコップ本体を取り替えたい場合、個人で取り替えることはできず、壊れたコップを捨てるしかないが、このような方法は、資源の無駄遣いである。取っ手を取り換えることのできるコップは、発明者によって発明されており、参照する台湾特許第５５７５６５号「ミルクジャグの連結構造」に開示されるミルクジャグの連結構造は、コップ本体と、木製の取っ手と、２つのねじと、からなり、そのうち、コップ本体は、設置面を備え、設置面には、２つの支柱が凸設され、２つの支柱には、穿設孔がそれぞれ設けられ、木製の取っ手は、２つの相対するとともにコップ本体に当接する２つの連結面を備え、連結面には、２つの支柱にそれぞれ対応する２つの連結溝が凹設されるとともに、木製の取っ手は、２つの連結溝にそれぞれ通じるとともに穿設孔に対応する２つの固定孔と、２つのねじと、２つの穿設孔にそれぞれ穿設される２つの固定孔を備えることで、木製の取っ手がコップ本体に固定される。
【０００３】
従って、台湾特許第５５７５６５号明細書は、主に、ねじにより取っ手の取り付け及び取り外しをする。しかしながら、使用者にねじを取り外す道具がない場合、取っ手をスムーズに取り付けるまたは取り外すことができないため、この方法は不便である。さらに別の取っ手は、ナットでコップに固定されるが、取っ手に嵌設されるナットはそれ以上固定されないため、取っ手がコップに対応して動かされて固定される場合、取っ手がコップにしっかりと固定されず、使用上不便である。従って、いかに取っ手をコップにしっかりと固定するとともに簡単に取り付けられるようにするかは、解決が望まれている課題である。
【先行技術文献】
【特許文献】
【０００４】
【特許文献１】台湾特許第５５７５６５号明細書
【考案の概要】
【考案が解決しようとする課題】
【０００５】
本考案は、主に、取っ手を容器にきつく固定することができる取り外し可能な容器の取っ手を提供することを目的とする。
【課題を解決するための手段】
【０００６】
本考案は、取り外し可能な容器の取っ手であり、主に、固定部品と、取っ手からなり、前記固定部品の一端は、容器に連結されるとともに、固定部品の他端は、ボルトに成形され、前記取っ手は、組立孔に成形され、さらに、組立孔内部には、ナットがされ、使用者は、ナットとボルトにより、螺合固定の方法で取っ手をコップに固定する。従って、使用者は、取っ手を取り付けるまたは取り外す際に、取っ手を動かすだけで、他の道具を使用することなく取り付けるまたは取り外すことができ、さらに、使用者が取っ手を取り付ける場合、取っ手の組立孔は、さらに、ナットに対して位置決め作用を発揮するため、使用者は、取っ手を締める際、組立孔の位置決め作用により、ナットが緩んでコップに取っ手がしっかり固定されないということがなく、さらに、取っ手と固定部品の間には、係合リングがさらに設けられ、前記係合リングによって、取っ手を固定部品に素早く位置決めすることができるため、使用者が違う角度で取り付けてしまうのを防止することができる。
【考案の効果】
【０００７】
従って、本考案のナットに対する取っ手の位置決め作用により、取っ手を容器にしっかり固定することができるとともに、使用者が他の補助的な道具を使用せずに取り付けを行うことができる。
【図面の簡単な説明】
【０００８】
【図１】本考案の構造構成を示した図である。
【図２】本考案の取っ手を説明するためのコップの斜視図である。
【図３】本考案の取っ手を説明するためのコップの側面図である。
【図４】本考案の取っ手を説明するためのコップの平面図である。
【図５】本考案の取っ手を説明するためのコップの一部断面側面図である。
【図６】本考案の取っ手の一部断面側面図である。
【図７】本考案における取っ手を取り付けた状態を示すコップの斜視図である。
【考案を実施するための形態】
【０００９】
参照する図１は、本考案の構造構成を示した図であり、図に示す通り、取り外し可能な容器の取っ手１０は、主に、固定部品１０１と、係合リング１０２と、取っ手１０３と、からなり、前記固定部品１０１の一端には第１連結部１０１１が設けられ、他端にはボルト１０１２が設けられ、そのうち、第１連結部１０１１は、容器に連結され、さらに、第１連結部１０１１は、弧形面に形成されることで、容器における壁面の弧度に対応することができ、ボルト１０１２によって取っ手１０３を取り付け且つ固定することができる。前記係合リング１０２は、筒状に形成され、その一端には、第２連結部１０２１が設けられ、他端には、嵌合部１０２２が設けられ、第２連結部１０２１に固定部品１０１が套設されて容器に連結され、嵌合部１０２２は、取っ手１０３に嵌合固定され、さらに、係合リング１０２の材質は、断熱材料であることで、容器２０の熱が取っ手１０３に伝わらないようにすることができる。取っ手１０３には、組立孔１０３１が設けられ、嵌合溝１０３２は、組立孔１０３１の周囲に隣接して設けられ、嵌合溝１０３２は、嵌合部１０２２に対応することで、嵌合部１０２２は、嵌合溝１０３２に嵌入固定されることができ、前記組立孔１０３１は、固定部品１０１のボルト１０１２に対応し、組立孔１０３１の内壁には、少なくとも１つのレール１０３３が設けられ、ナット１０４の内側には、ねじ部１０４１が設けられ、外側には、少なくとも１つのリブ１０４２が設けられ、各リブ１０４２は、組立孔１０３１の各レール１０３３に対応することで、ナット１０４は、組立孔１０３１の中に連結されることができ、ボルト１０１２は、ナット１０４と相互に螺合固定される。
【００１０】
参照する図２に示すように、本考案の取り外し可能な容器の取っ手１０は、取り付ける際、固定部品１０１が、第１連結部１０１１によって容器２０の外壁面２０１に連結されることで、第１連結部１０１１が外壁面２０１に貼合される。そのうち、固定部品１０１は、鋲、溶接、または、接着剤等の方法で外壁面２０１に固定されるが、これらに制限されない。
【００１１】
参照する図３に示すように、固定部品１０１が外壁面２０１に連結されると、係合リング１０２の第２連結部１０２１をさらに固定部品１０１に套設することができることで、係合リング１０２は、固定部品１０１を覆うことができる。合わせて参照する図４は、本考案の実施図３であり、図に示す通り、第２連結部１０２１は、弧形面に形成されるため、係合リング１０２が容器２０の外壁面２０１に当接される際、係合リング１０２は、外壁面２０１に貼合されることができる。
【００１２】
参照する図５、図６及び、図１に示す通り、使用者が取っ手１０３を取り付ける場合、使用者は、まず、取っ手１０３の嵌合溝１０３２を、係合リング１０２の嵌合部１０２２に対応させてから、嵌合部１０２２を嵌合溝１０３２に挿入し、さらに、取っ手１０３の組立孔１０３１が固定部品１０１のボルト１０１２に素早く位置決めされるようにすることで、位置決めされると、使用者は、取っ手１０３を動かして、ナット１０４のねじ部１０４１をボルト１０１２に対して回転させて螺合させることができ、そのうち、各レール１０３３は、リブ１０４２に位置決め作用を発揮するため、取っ手１０３を回す際、ナット１０４は、取っ手１０３に伴って組立孔１０１３内でスライドすることはない。さらに参照する図６において、使用者が取っ手１０３を適切な位置にまで回すと、ボルト１０１２は、取っ手１０３に当接することでボルト１０１２とナット１０４をしっかり固定させ、使用者がこの時に、取っ手１０３を無理やり回すと、ナット１０４は、固定部品１０１側にわずかに近づく。従って、使用者が取っ手１０３をわずかに動かして角度を調節するだけで、取っ手１０３を再び適切な位置に戻すことができる。取っ手が取り付けられた状態は、図７に示す通りであり、取り外す場合、使用者は、取っ手１０３を逆方向に回すだけで、取っ手１０３と固定部品１０１を分離させることができる。
【００１３】
上述から分かる通り、本考案が考案する取り外し可能な容器の取っ手は、主に、固定部品と、取っ手と、からなり、前記固定部品の一端は、容器に連結されるとともに、固定部品の他端は、ボルトに成形され、前記取っ手は、組立孔に成形され、さらに、組立孔内部には、ナットが嵌設され、使用者は、ナットとボルトにより螺合固定の方法で取っ手をコップに固定する。従って、使用者は、取っ手を取り付けるまたは取り外す際に、取っ手を動かすだけで、他の道具を使用することなく取り付けるまたは取り外すことができ、さらに、使用者が取っ手を取り付ける場合、取っ手の組立孔は、さらに、ナットに対して位置決め作用を発揮するため、使用者は、取っ手を締める際、組立孔の位置決め作用により、ナットが緩んでコップに取っ手がしっかり固定されないということがなく、さらに、取っ手と固定部品の間には、係合リングがさらに設けられ、前記係合リングによって、取っ手を固定部品に素早く位置決めすることができるため、使用者が違う角度で取り付けてしまうのが防止される。従って、本考案が実施されることで、取っ手を容器にきつく固定することができる取り外し可能な容器の取っ手の製造という目的が確実に達成される。
【符号の説明】
【００１４】
１０    取り外し可能な容器の取っ手
１０１    固定部品    
１０２    係合リング
１０１１  第１連結部    
１０２１  第２連結部
１０１２      ボルト    
１０２２      嵌合部
１０３      取っ手    
１０４  ナット
１０３１  組立孔    
１０４１  ねじ部
１０３２  嵌合溝    
１０４２  リブ
１０３３  レール
【図１】
0003224423.tif 000003
【図２】
0003224423.tif 000004
【図３】
0003224423.tif 000005
【図４】
0003224423.tif 000006
【図５】
0003224423.tif 000007
【図６】
0003224423.tif 000008
【図７】
0003224423.tif 000009
【手続補正書】
【提出日】令和1年10月17日(2019.10.17)
【手続補正１】
【補正対象書類名】実用新案登録請求の範囲
【補正対象項目名】全文
【補正方法】変更
【補正の内容】
【実用新案登録請求の範囲】
【請求項１】
容器に連結される取り外し可能な容器の取っ手であって、固定部品と、取っ手と、からなり、
前記固定部品の一端には、第１連結部が設けられ、他端には、ボルトが設けられ、前記第１連結部は、前記容器の外壁面に連結され、
前記取っ手には、組立孔が設けられ、前記組立孔の内壁には、少なくとも１つのレールが設けられ、ナットの内側には、ねじ部が設けられ、外側には、少なくとも１つのリブが設けられ、前記ナットは、各前記リブによって各前記レールに対応され、前記組立孔に連結されることで、前記ナットには、各前記レールの位置決め作用が発揮され、
前記組立孔が前記固定部品に対応すると、前記ナットは、前記ボルトと相互に螺合固定されることで、前記ナットと前記ボルトは、しっかり固定され、前記取っ手は、コップに取り付けられ且つ固定されることを特徴とする、取り外し可能な容器の取っ手。
【請求項２】
前記第１連結部は、弧形面に形成され、前記弧形面は、前記容器における壁面の弧度に対応することを特徴とする、請求項１に記載の取り外し可能な容器の取っ手。
【請求項３】
前記固定部品には、係合リングが套設され、前記取っ手は、前記係合リングによって前記固定部品に位置決めされ、前記係合リングの一端には、第２連結部が設けられ、他端には、嵌合部が設けられ、前記係合リングは、前記第２連結部により固定部品に套設されることを特徴とする、請求項１に記載の取り外し可能な容器の取っ手。
【請求項４】
前記係合リングの一端には、第２連結部が設けられ、他端には、嵌合部が設けられ、前記第２連結部は、固定部品に套設され、前記嵌合部は、前記取っ手の嵌合溝に嵌入されることを特徴とする、請求項３に記載の取り外し可能な容器の取っ手。
【請求項５】
前記第２連結部は、弧形面に形成され、前記弧形面は、前記容器の壁面の弧度に対応することを特徴とする、請求項３に記載の取り外し可能な容器の取っ手。